(57)【要約】【課題】スーパーヘテロダイン方式のテレビジョン受信機に用いられるＰＬＬ回路３１において、比較的周波数の高いチャネルでの悪影響を生じることなく、特定チャネルでの妨害症状を軽減する。【解決手段】位相比較器３４において、ＬＯ信号と比較される基準信号を生成する基準信号発振回路３３を、発振回路４１と、予め定められたＩＦ信号周波数に対応した発振子３７と補正容量３８との直列回路とともに、もう１つの補正容量３９とスイッチ４０とを備えて構成する。そして、前記妨害症状を有する特定チャネルの受信時のみ、スイッチ４０をオンまたはオフし、基準信号の周波数を数十ｋＨｚだけシフトさせる。したがって、前記特定チャネルのビートを軽減しつつ、他のチャネルでの画質の劣化を防止することができる。【選択図】  図１
2004328054.tif 000002
【特許請求の範囲】
【請求項１】
スーパーヘテロダイン方式の受信機に用いられるＰＬＬ回路において、
予め定められる基準信号の周波数を変移させる変移手段と、
妨害症状を有するチャネルにおいて、前記変移手段に基準信号の周波数を変移させる制御手段とを含むことを特徴とするＰＬＬ回路。
【請求項２】
前記基準信号を発振する基準信号発振回路は、発振回路、発振子および発振用の容量から成り、
前記変移手段は、前記発振用の容量値を変化することで、前記基準信号発振回路の発振周波数を変移させることを特徴とする請求項１記載のＰＬＬ回路。
【請求項３】
前記請求項１または２記載のＰＬＬ回路を用い、映像ＩＦ周波数に４５．７５ＭＨｚを使用し、前記妨害症状を有するチャネルの映像ＲＦ周波数が９１．２５ＭＨｚであることを特徴とするテレビジョン受信機。
【請求項４】
スーパーヘテロダイン方式のテレビジョン受信機のビート改善方法において、妨害症状を有するチャネルでは、ＰＬＬ回路の基準信号周波数を変移させ、局部発振周波数を変移させることで、中間周波信号から出力される妨害スプリアス周波数を変移させることを特徴とするテレビジョン受信機のビート改善方法。
【発明の詳細な説明】
【０００１】
【発明の属する技術分野】
本発明は、テレビジョン受信機などのスーパーヘテロダイン方式の受信機に好適に用いられるＰＬＬ回路に関し、またそれを搭載したテレビジョン受信機ならびにテレビジョン受信機のビート改善方法に関する。
【０００２】
【従来の技術】
図５は、前記スーパーヘテロダイン方式を用いるＮＴＳＣやＰＡＬの放送方式に対応した一般的なテレビジョン受信機１の電気的構成を示すブロック図である。アンテナ２から入力された受信ＲＦ（高周波）信号は、まずバンドパスフィルタから成る入力同調回路３で希望信号成分のみ取出され、さらに高周波増幅回路４において増幅された後、バンドパスフィルタから成る段間同調回路５においてさらに不要な信号成分が取除かれる。このＲＦ信号は、混合回路６へと導かれ、局部発振回路７で生成されたＬＯ（局部発振）信号と混合され、ＩＦ（中間周波）信号に周波数変換が行われる。
【０００３】
前記ＩＦ信号は、前記ＮＴＳＣやＰＡＬの放送方式に適応したＳＡＷフィルタ８に入力され、映像信号成分（ＶＩＦ信号）と音声信号成分（ＳＩＦ信号）とが取出される。このＳＡＷフィルタ８には、映像用と音声用との別々のＳＡＷフィルタが用いられこともある。このＳＡＷフィルタ８から、前記ＶＩＦ信号は増幅回路（ＶＩＦ  ＡＭＰ）９に与えられ、前記ＳＩＦ信号は音声ＩＦ増幅回路（ＳＩＦ  ＡＭＰ）１０に与えられる。
【０００４】
前記増幅回路９で増幅された前記ＶＩＦ信号は、映像検波回路（Ｖｉｄｅｏ  ＤＥＴ）１１において映像検波されてビデオ信号となり、映像増幅回路（Ｖｉｄｅｏ  ＡＭＰ）１２において増幅された後、出力される。また、前記ＳＩＦ信号は、音声復調回路（ＱＩＦ  ＤＥＴ）１３において検波（周波数変換）されて、前記ＮＴＳＣ仕様であれば４．５ＭＨｚ、ＰＡＬ  Ｂ／Ｇ仕様であれば５．５ＭＨｚのＳＩＦ信号となる。そのＳＩＦ信号は、ＦＭ検波回路（ＦＭ  ＤＥＴ）１４においてＦＭ検波された後、音声信号として出力される。
【０００５】
前記のように、受信ＲＦ信号は、一旦、ＩＦ信号に周波数変換が行われた後、映像信号成分（ＶＩＦ信号）と音声信号成分（ＳＩＦ信号）とに分離される。そしてさらに、ＳＩＦ信号にＬＯ（局部発振）信号を混合することで、音声信号に復調される。これは、周波数が低い程、検波器の構成が簡単で性能が良いためであり、殆どの検波器でこのように音声キャリア周波数の信号を、一旦ＳＩＦ信号に変換した後、復調するように構成されている。
【０００６】
図６は、典型的な従来技術のＰＬＬ回路２１の電気的構成を示すブロック図である。このＰＬＬ回路２１は、前記ＬＯ信号を発振する発振器２２と、基準信号発振回路２３と、位相比較器２４と、分周器２５，２６とを備えて構成される。前記発振器２２は、位相比較器２４から与えられる直流制御電圧に応じた周波数で発振を行う電圧制御発振器などで実現される。一方、前記基準信号発振回路２３は、水晶やセラミック等から成る前記発振子２７と補正容量２８との直列回路と、発振回路２９とを備えて構成され、前記発振回路２９は、前記直列回路によって決定される予め定める一定の周波数で発振を行う。前記発振子２７と補正容量２８との直列回路で、ＧＮＤへの接続順序は、どちらがＧＮＤ側でもよい。
【０００７】
発振器２２で生成されたＬＯ信号成分と、基準信号発振回路２３で生成された基準信号成分とは、それぞれ分周器２５，２６で分周され、その分周成分が位相比較器２４において相互に比較され、その分周成分が同一位相となるように前記直流制御電圧を変化するフィードバック制御が行われる。そして、前記分周器２５または分周器２５，２６における分周比を変化することで、前記混合回路６において、任意のＲＦ周波数を、予め定められるＩＦ周波数に変換し、そのチャネルの受信が可能となる。
【０００８】
上述のように構成されるＰＬＬ回路２１において、映像ＩＦ周波数に４５．７５ＭＨｚを使用する（一般的に米国仕様であるが、最近、米国向けと国内向けとを共用するために、日本仕様としても採用されてきている）テレビジョン受信機を例として、妨害発生のメカニズムについて説明する。
【０００９】
前記映像ＩＦ周波数が４５．７５ＭＨｚに対して、映像ＲＦ周波数が９１．２５ＭＨｚのチャネル（ＵＳＡ：Ａ−５チャネル、ＪＰＮ：１チャネル）を受信すると、このチャネルを受信する際に使用されるＬＯ信号周波数は、９１．２５＋４５．７５＝１３７ＭＨｚである。よって、ＲＦ信号とＬＯ信号とを混合すると、前記４５．７５ＭＨｚに予め定められている映像ＩＦ信号が取出される。
【００１０】
しかしながら、この際、ＲＦ信号の２倍高調波とＬＯ信号とが混合されることで、９１．２５×２−１３７＝４６ＭＨｚの妨害成分も混合回路６から出力され、この妨害成分と映像ＩＦ成分とが後段回路で混合されてしまい、４６−４５．７５＝０．２５ＭＨｚ＝２５０ｋＨｚの妨害成分がビデオ信号と一緒に出力され、画面上縞模様のビートとして現れる。この２５０ｋＨｚのビート成分は人の目に非常に認識し易く、ビート改善は非常に困難である。
【００１１】
一方、ビート成分を前記２５０ｋＨｚから数十ｋＨｚずらすことで、人の目で殆ど認識できなくなることは周知の事実である。このため、典型的な従来技術のＰＬＬ回路２１では、ＬＯ信号周波数を数十ｋＨｚずらすことで、妨害に対する対策が行われている。具体的には、発振子２７および発振周波数の補正容量２８で決定される基準信号の発振周波数を微妙にずらすことで、上述のようにＬＯ信号周波数を数十ｋＨｚずらしている。
【００１２】
なお、本発明に関連する先行技術として、特開２００１−３３９６５２号公報を挙げることができるが、説明の都合上、発明の実施の形態にて説明する。
【００１３】
【特許文献１】
特開２００１−３３９６５２号公報（公開日：平成１３年１２月７日）
【００１４】
【発明が解決しようとする課題】
上述のような従来技術のＰＬＬ回路２１では、前記映像ＲＦ周波数が９１．２５ＭＨｚのＵＳＡ：Ａ−５チャネル、ＪＰＮ：１チャネルの特定チャネルの妨害症状は改善されるけれども、一方で、ＬＯ信号周波数の高いチャネル、特にＵＨＦのチャネルでは、ＬＯ信号周波数が基準周波数から数百ｋＨｚもずれてしまうことになり、それに伴い、そのＬＯ信号で周波数変換されたＩＦ信号成分も、数百ｋＨｚもずれてしまうことになる。よって、周波数のずれたＩＦ信号を検波すると、検波後のビデオ周波数特性が本来の特性とは異なってしまい、画質が劣化してしまうという問題がある。すなわち、従来では、このＬＯ信号周波数の高いチャネルでの画質劣化による影響よりも、前記特定チャネルでの画質改善効果が大きいために、ＬＯ信号周波数をずらす対策が採られている。
【００１５】
本発明の目的は、比較的周波数の高いチャネルでの悪影響を生じることなく、特定チャネルでの妨害症状を軽減することができるＰＬＬ回路およびそれを用いるテレビジョン受信機ならびにテレビジョン受信機のビート改善方法を提供することである。
【００１６】
【課題を解決するための手段】
本発明のＰＬＬ回路は、スーパーヘテロダイン方式の受信機に用いられるＰＬＬ回路において、予め定められる基準信号の周波数を変移させる変移手段と、妨害症状を有するチャネルにおいて、前記変移手段に基準信号の周波数を変移させる制御手段とを含むことを特徴とする。
【００１７】
上記の構成によれば、選局したチャネルの高周波（ＲＦ）信号を、ＰＬＬ回路にて周波数制御されている局部発振（ＬＯ）信号と混合して中間周波（ＩＦ）信号として取出し、前記ＩＦ信号からベースバンド信号を復調するようにしたスーパーヘテロダイン方式の受信機に用いられるＰＬＬ回路において、予め定められるＩＦ周波数に対して、比較的周波数の低い特定チャネルのＲＦ周波数の２倍高調波とＬＯ信号との混合によって妨害成分が生じ、両者のビートが現れることになるのに対して、その妨害症状を有する特定チャネルだけ、制御手段は、変移手段に、該ＰＬＬ回路の基準信号周波数を変移させ、これによってＬＯ信号周波数を変移させ、前記妨害成分を認識しにくい周波数へ変移させ、その特定チャネルに特有の妨害症状を軽減する。
【００１８】
したがって、前記特定チャネルだけ基準信号周波数を変移させるので、全チャネルに亘って変移させた場合のように、比較的周波数の高いチャネルで前記ＬＯ信号周波数が規定値から大きくずれて、これによってＩＦ周波数が規定値からずれて、ベースバンド信号の品質が劣化してしまうことを防止することができる。
【００１９】
また、本発明のＰＬＬ回路では、前記基準信号を発振する基準信号発振回路は、発振回路、発振子および発振用の容量から成り、前記変移手段は、前記発振用の容量値を変化することで、前記基準信号発振回路の発振周波数を変移させることを特徴とする。
【００２０】
上記の構成によれば、発振回路、水晶などの発振子および発振用の容量から成る基準信号発振回路の発振周波数を変移させるにあたって、前記発振用の容量を複数の容量で構成し、前記制御手段が、それらをトランジスタやダイオードなどのスイッチ素子で選択的に使用したり、直並列を切換えたりすることで容量値を変化するようにしたり、前記発振用の容量を可変容量で構成し、前記制御手段からの制御電圧を変化させることで容量値を変化するようにしたりすることで、発振周波数を変移させる。
【００２１】
したがって、簡単な構成で、発振周波数を変移させることができる。
【００２２】
さらにまた、本発明のテレビジョン受信機は、前記のＰＬＬ回路を用い、映像ＩＦ周波数に４５．７５ＭＨｚを使用し、前記妨害症状を有するチャネルの映像ＲＦ周波数が９１．２５ＭＨｚであることを特徴とする。
【００２３】
上記の構成によれば、映像ＩＦ周波数に４５．７５ＭＨｚを使用する（一般的に米国仕様であるが、最近、米国向けと国内向けとを共用するために、日本仕様としても採用されてきている）テレビジョン受信機において、映像ＲＦ周波数が９１．２５ＭＨｚのチャネル（ＵＳＡ：Ａ−５チャネル、ＪＰＮ：１チャネル）を受信する際、特有の周波数関係によって、画面上に縞模様の妨害症状が発生する。その画面症状を回避する為に、請求項１の回路を使用する。
【００２４】
したがって、前記のＵＳＡ：Ａ−５チャネル、ＪＰＮ：１チャネルの妨害症状を有する特定チャネルだけ基準信号周波数を変移させるテレビジョン受信機を実現することができる。
【００２５】
また、本発明のテレビジョン受信機のビート改善方法は、スーパーヘテロダイン方式のテレビジョン受信機のビート改善方法において、妨害症状を有するチャネルでは、ＰＬＬ回路の基準信号周波数を変移させ、局部発振周波数を変移させることで、中間周波信号から出力される妨害スプリアス周波数を変移させることを特徴とする。
【００２６】
上記の構成によれば、選局したチャネルの高周波（ＲＦ）信号を、ＰＬＬ回路にて周波数制御されている局部発振信号と混合して中間周波（ＩＦ）信号として取出し、前記ＩＦ信号を検波して映像信号を復調するようにしたスーパーヘテロダイン方式のテレビジョン受信機のビート改善方法において、予め定められる映像ＩＦ周波数に対して、ＵＳＡ：Ａ−５チャネル、ＪＰＮ：１チャネルのように、比較的周波数の低い特定チャネルの映像ＲＦ周波数の２倍高調波と局部発振（ＬＯ）信号との混合によって妨害成分が生じ、両者のビートが画面上で縞模様となって現れることになるのに対して、その特定チャネルだけ、ＰＬＬ回路の基準信号周波数を変移させ、これによってＬＯ信号周波数を変移させ、妨害スプリアス周波数を認識しにくい周波数へ変移させ、その特定チャネルに特有の妨害症状を軽減する。
【００２７】
したがって、前記特定チャネルだけ基準信号周波数を変移させるので、ＵＨＦチャネルのように、比較的周波数の高いチャネルで前記ＬＯ信号周波数が規定値から大きくずれて、これによって映像ＩＦ周波数が規定値からずれて、画質が劣化してしまうことを防止することができる。
【００２８】
【発明の実施の形態】
本発明の実施の一形態について、図１〜図３に基づいて説明すれば、以下のとおりである。
【００２９】
図１は、本発明の実施の一形態のＰＬＬ回路３１の電気的構成を示すブロック図である。このＰＬＬ回路３１は、前記ＬＯ信号を発振する発振器３２と、基準信号発振回路３３と、位相比較器３４と、分周器３５，３６とを備えて構成される。前記発振器３２は、位相比較器３４から与えられる直流制御電圧に応じた周波数で発振を行う電圧制御発振器などで実現される。
【００３０】
発振器３２で生成されたＬＯ信号成分と、基準信号発振回路３３で生成された基準信号成分とは、それぞれ分周器３５，３６で分周され、その分周成分が位相比較器３４において相互に比較され、その分周成分が同一位相となるように前記直流制御電圧を変化するフィードバック制御が行われる。そして、前記分周器３５または分周器３５，３６における分周比が、図示しない制御回路によって変化されることで、前記図５で示すテレビジョン受信機１の混合回路６において、任意のＲＦ周波数を、予め定められるＩＦ周波数に変換し、そのチャネルの受信が可能となる。以上の構成は、前述の図５で示すＰＬＬ回路２１と同様である。
【００３１】
注目すべきは、このＰＬＬ回路３１では、前記基準信号発振回路３３は、水晶やセラミック等から成る前記発振子３７と、補正容量３８，３９と、スイッチ４０と、発振回路４１とを備えて構成されることである。すなわち、発振回路２９には、前記図６で示す従来のＰＬＬ回路２１と同様に、発振子３７と補正容量３８との直列回路が接続されるとともに、前記補正容量３８には並列に、もう１つの補正容量３９が配置され、その補正容量３９がスイッチ４０によってＧＮＤとの間に接続／開放されることで、前記特定チャネルの基準信号だけ、発振周波数をずらし、ビート周波数成分を画面上人の目で認識しにくい周波数にずらすことである。前記発振子３７と、並列の補正容量３８，３９との直列回路で、ＧＮＤへの接続順序は、どちらがＧＮＤ側でもよい。
【００３２】
図示しない制御回路は、後述するように、ＵＳＡ：Ａ−５チャネル、ＪＰＮ：１チャネルの妨害症状の有る前記特定チャネルを受信する際には前記スイッチ４０をオンまたはオフの何れか一方とし、その特定チャネル以外を受信する際には前記スイッチ４０をオンまたはオフの何れか他方とすることで、前記発振回路４１は、基準信号の発振周波数を、前記特定チャネルの受信時にのみ、本来の周波数から数十ｋＨｚだけずらし、前記特定チャネル以外を受信する際には予め定める本来の一定の周波数に戻す。
【００３３】
したがって、前記特定チャネルだけ基準信号の周波数をずらすので、全チャネルに亘ってずらした場合のように、比較的周波数の高いチャネルで前記ＬＯ信号周波数が規定値から大きくずれて、これによってＩＦ信号周波数が規定値からずれて、画質が劣化してしまうことを防止することができる。
【００３４】
図２および図３は、前記スイッチ４０の具体的構成を説明するための基準信号発振回路３３ａ，３３ｂのブロック図である。図２で示す基準信号発振回路３３ａでは、前記スイッチ４０として、Ｎ型のトランジスタ４０ａが用いられている。このため、バイアス抵抗Ｒ１，Ｒ２は、前記図示しない制御回路からの制御信号を分圧して前記トランジスタ４０ａのベースに与え、前記制御信号のレベルがトランジスタ４０ａのオン電圧Ｖｂｅ以上となると該トランジスタ４０ａがオンし、前記補正容量３８に補正容量３９が並列に挿入されることになる。
【００３５】
これに対して、図３で示す基準信号発振回路３３ｂでは、前記スイッチ４０として、ダイオード４０ｂが用いられている。このため、バイアス抵抗Ｒ１は前記図示しない制御回路からの制御信号をダイオード４０ｂのアノードに与え、バイアス抵抗Ｒ２は前記制御回路からのもう１つの制御信号をダイオード４０ｂのカソードに与え、それらアノードとカソードとの電位差がダイオード４０ｂのオン電圧ＶＦ以上となると該ダイオード４０ｂがオンし、前記補正容量３８に補正容量３９が並列に挿入される。
【００３６】
このようにして、前記スイッチ４０を具体的に構成することができる。その他にも、前記補正容量３８，３９をスイッチ素子で択一的に使用したり、直列に接続された補正容量３８，３９の一方の端子間をスイッチ素子で短絡するなどしても、同様の効果を得ることができる。
【００３７】
本発明の実施の他の形態について、図４に基づいて説明すれば、以下のとおりである。
【００３８】
図４は、本発明の実施の他の形態のＰＬＬ回路５１の電気的構成を示すブロック図である。このＰＬＬ回路５１は、前述のＰＬＬ回路３１に類似し、対応する部分には同一の参照符号を付して、その説明を省略する。注目すべきは、このＰＬＬ回路５１では、基準信号発振回路５３の補正容量５８が、可変容量で構成されることである。前記制御回路は、この補正容量５８に制御電圧を与え、その制御電圧を変化することで容量値を変化させ、発振周波数を変化させる。
【００３９】
なお、本発明に関連する従来技術として、特開２００１−３３９６５２号公報が挙げられる。この先行技術は、ＴＶ，ＦＭ共用受信機において、入力同調回路、段間同調回路および局部発振回路にバラクタダイオードを設けておき、テレビジョン放送の受信時には、総てのバラクタダイオードに同一電圧を印加することで、ＬＯ信号周波数と同調周波数との差をテレビジョンのＩＦ周波数とし、ＦＭ放送の受信時には、入力同調回路および段間同調回路のバラクタダイオードと局部発振回路のバラクタダイオードとに相互に異なる電圧を印加することで、ＬＯ信号周波数と同調周波数との差をＦＭ放送のＩＦ周波数とし、従来は２つであった局部発振回路を１つとして、それに起因するビートが発生しないように構成されている。
【００４０】
しかしながら、この先行技術は、ＴＶ，ＦＭ共用受信機におけるビートの抑制を対象とするものであって、本発明のようなテレビジョン受信機の特定チャネルのビートの抑制を対象とするものとで、ビートの発生メカニズムが異なり、その対策手法も異なるものである。
【００４１】
また、特定チャネルだけ基準信号の周波数をずらすのに対して、その特定チャネルだけ分周比をずらすことでも同様の効果を得ることができるけれども、十分にその内容を理解したセット設計者（ユニット部品のユーザ）でなければ対応することができず、そのような内容の知識の無いユーザがユニット部品を簡単に使用するには、本発明のようにユニット部品側で対応した方が、使い勝手の良い部品を提供することができる。
【００４２】
【発明の効果】
本発明のＰＬＬ回路は、以上のように、スーパーヘテロダイン方式の受信機に用いられるＰＬＬ回路において、予め定められるＩＦ周波数に対して、比較的周波数の低い特定チャネルのＲＦ周波数の２倍高調波とＬＯ信号との混合によって妨害成分が生じ、両者のビートが現れることになるのに対して、その妨害症状を有する特定チャネルだけ、制御手段は、変移手段に、該ＰＬＬ回路の基準信号周波数を変移させ、これによってＬＯ信号周波数を変移させ、前記妨害成分を認識しにくい周波数へ変移させ、その特定チャネルに特有の妨害症状を軽減する。
【００４３】
それゆえ、前記特定チャネルだけ基準信号周波数を変移させるので、全チャネルに亘って変移させた場合のように、比較的周波数の高いチャネルで前記ＬＯ信号周波数が規定値から大きくずれて、これによってＩＦ周波数が規定値からずれて、ベースバンド信号の品質が劣化してしまうことを防止することができる。
【００４４】
また、本発明のＰＬＬ回路は、以上のように、前記基準信号を発振する基準信号発振回路を、発振回路、発振子および発振用の容量から構成し、前記変移手段は、前記発振用の容量値を変化することで、前記基準信号発振回路の発振周波数を変移させる。
【００４５】
それゆえ、簡単な構成で、発振周波数を変移させることができる。
【００４６】
さらにまた、本発明のテレビジョン受信機は、以上のように、前記のＰＬＬ回路を用い、映像ＩＦ周波数に４５．７５ＭＨｚを使用し、前記妨害症状を有するチャネルの映像ＲＦ周波数が９１．２５ＭＨｚであることとする。
【００４７】
それゆえ、ＵＳＡ：Ａ−５チャネル、ＪＰＮ：１チャネルの妨害症状を有する特定チャネルだけ基準信号周波数を変移させるテレビジョン受信機を実現することができる。
【００４８】
また、本発明のテレビジョン受信機のビート改善方法は、以上のように、スーパーヘテロダイン方式のテレビジョン受信機のビート改善方法において、ＵＳＡ：Ａ−５チャネル、ＪＰＮ：１チャネルの妨害症状を有するチャネルでは、ＰＬＬ回路の基準信号周波数を変移させ、局部発振周波数を変移させることで、中間周波信号から出力される妨害スプリアス周波数を認識しにくい周波数へ変移させる。
【００４９】
それゆえ、特定チャネルだけ基準信号周波数を変移させるので、ＵＨＦチャネルのように、比較的周波数の高いチャネルで前記ＬＯ信号周波数が規定値から大きくずれて、これによって映像ＩＦ周波数が規定値からずれて、画質が劣化してしまうことを防止することができる。
【図面の簡単な説明】
【図１】本発明の実施の一形態のＰＬＬ回路の電気的構成を示すブロック図である。
【図２】図１で示すＰＬＬ回路における基準信号発振回路の具体的構成を説明するためのブロック図である。
【図３】図１で示すＰＬＬ回路における基準信号発振回路の具体的構成を説明するためのブロック図である。
【図４】本発明の実施の他の形態のＰＬＬ回路の電気的構成を示すブロック図である。
【図５】スーパーヘテロダイン方式を用いる一般的なテレビジョン受信機の電気的構成を示すブロック図である。
【図６】典型的な従来技術のＰＬＬ回路の電気的構成を示すブロック図である。
【符号の説明】
１    テレビジョン受信機
２    アンテナ
３    入力同調回路
４    高周波増幅回路
５    段間同調回路
６    混合回路
７    局部発振回路
８    ＳＡＷフィルタ
９    増幅回路（ＶＩＦ  ＡＭＰ）
１０    音声ＩＦ増幅回路（ＳＩＦ  ＡＭＰ）
１１    映像検波回路（Ｖｉｄｅｏ  ＤＥＴ）
１２    映像増幅回路（Ｖｉｄｅｏ  ＡＭＰ）
１３    音声復調回路（ＱＩＦ  ＤＥＴ）
１４    ＦＭ検波回路（ＦＭ  ＤＥＴ）
３１，５１    ＰＬＬ回路
３２    発振器
３３，３３ａ，３３ｂ，５３    基準信号発振回路
３４    位相比較器
３５，３６    分周器
３７    発振子
３８    補正容量（発振用の容量）
３９    補正容量（変移手段）
４０    スイッチ（変移手段）
４０ａ  トランジスタ（変移手段）
４０ｂ  ダイオード（変移手段）
４１    発振回路
５８    補正容量（発振用の容量、変移手段）
Ｒ１，Ｒ２    バイアス抵抗（変移手段）
【図１】
2004328054.tif 000003
【図２】
2004328054.tif 000004
【図３】
2004328054.tif 000005
【図４】
2004328054.tif 000006
【図５】
2004328054.tif 000007
【図６】
2004328054.tif 000008